(57)【要約】【課題】同一内容の記憶データに基づく画像が形成された画像形成媒体が複数生成されることを抑制することが可能な画像形成システム及び画像形成装置を提供する。【解決手段】画像形成システムは、記憶データＲＤが記憶された記憶部７を有する記憶元画像形成媒体３から前記記憶データを読み取るデータ読取部２５と、前記データ読取部により読み取られた記憶データに基づく画像を、画像形成媒体３に形成する形成部１５と、前記データ読取部による読取処理後に、前記記憶元画像形成媒体３の記憶部７に記憶された前記記憶データＲＤに基づく画像の形成を制限する制限部２５と、を備える。【選択図】図４
2010130346.tif 000002
【特許請求の範囲】
【請求項１】
記憶データが記憶された記憶部を有する記憶元画像形成媒体から前記記憶データを読み取るデータ読取部と、
前記データ読取部により読み取られた記憶データに基づく画像を、画像形成媒体に形成する形成部と、
前記データ読取部による読取処理後に、前記記憶元画像形成媒体の記憶部に記憶された前記記憶データに基づく画像の形成を制限する制限部と、を備える画像形成システム。
【請求項２】
請求項１記載の画像形成システムであって、
前記形成部は、前記記憶データに基づく画像を、前記記憶元画像形成媒体に形成し、
前記制限部は、前記記憶データに基づく画像の形成を禁止する構成である。
【請求項３】
請求項１または２に記載の画像形成システムであって、
前記形成部は、前記記憶データに基づく画像を前記記憶元画像形成媒体に形成し、当該形成が正常終了しなかった場合に、前記記憶データに基づく画像を別の画像形成媒体に形成する。
【請求項４】
請求項３記載の画像形成システムであって、
前記別の画像形成媒体が、画像形成が制限されていない非制限記憶データを記憶した記憶部を有するかどうかを判断する判断部を備え、
前記形成部は、前記判断部による判断結果に基づき前記非制限記憶データを記憶した記憶部を有しない画像形成媒体に、前記記憶元画像形成媒体の記憶部から読み取った前記記憶データに基づく画像を形成する。
【請求項５】
請求項１から４のいずれか一項に記載の画像形成システムであって、
前記制限部は、前記形成部による画像形成処理の終了前に、前記制限を実行する。
【請求項６】
請求項１から５のいずれか一項に記載の画像形成システムであって、
前記制限部は、前記記憶部に複数の前記記憶データが記憶されている場合、当該複数の記憶データのうち画像形成対象とされた記憶データだけについて画像形成を制限する。
【請求項７】
請求項１から６のいずれか一項に記載の画像形成システムであって、
前記制限部による制限処理を実行するか否かを切り替える切替部を備える。
【請求項８】
請求項７に記載の画像形成システムであって、
前記切替部は、前記記憶部内の指示データに基づき前記制限処理を実行するか否かを切り替える。
【請求項９】
請求項１から８のいずれか一項に記載の画像形成システムであって、
前記制限部は、前記記憶データに基づく画像の形成を前記形成部に制限させる制限情報を前記記憶部に記憶する。
【請求項１０】
請求項１から８のいずれか一項に記載の画像形成システムであって、
前記制限部は、前記記憶データを消去することにより当該記憶データに基づく画像の形成を制限する。
【請求項１１】
記憶データが記憶された記憶部を有する記憶元画像形成媒体から前記記憶データを読み取るデータ読取部と、
前記データ読取部により読み取られた記憶データに基づく画像を、画像形成媒体に形成する形成部と、
前記形成部による形成処理後に、前記記憶元画像形成媒体の記憶部に記憶された前記記憶データに基づく画像の形成を制限する制限部を、を備える画像形成装置。
【発明の詳細な説明】
【技術分野】
【０００１】
本発明は、画像形成システム及び画像形成装置に関する。
【背景技術】
【０００２】
従来より、記憶部付き画像形成媒体（ＩＣチップ付き用紙など）を利用する画像読取システムがある。具体的には、この画像読取システムは、ＩＣチップ付き原稿のＩＣチップからデータを読み取って、そのデータに基づく画像を別のＩＣチップ付き用紙上に形成するように構成されている（特許文献１参照）。
【特許文献１】特開２００４−８８５８４公報
【発明の開示】
【発明が解決しようとする課題】
【０００３】
ところが、上記従来の画像読取システムでは、ＩＣチップ内のデータに基づく画像が形成された用紙が何ら制約なく増産されてしまい、不都合が生じることがあった。
【０００４】
本発明は上記のような事情に基づいて完成されたものであって、その目的は、同一内容の記憶データ（ＩＣチップ内のデータを含む）に基づく画像が形成された画像形成媒体が複数生成されることを抑制することが可能な画像形成システム及び画像形成装置を提供するところにある。
【課題を解決するための手段】
【０００５】
（１）上記の目的を達成するための手段として、本発明に係る画像形成システムは、記憶データが記憶された記憶部を有する記憶元画像形成媒体から前記記憶データを読み取るデータ読取部と、前記データ読取部により読み取られた記憶データに基づく画像を、画像形成媒体に形成する形成部と、前記データ読取部による読取処理後に、前記記憶元画像形成媒体の記憶部に記憶された前記記憶データに基づく画像の形成を制限する制限部と、を備える。
【０００６】
この発明によれば、記憶データの読取処理後に、記憶元画像形成媒体の記憶部に記憶された記憶データに基づく画像の形成を制限する。これにより、同一内容の記憶データに基づく画像が形成された画像形成媒体が複数生成されることを抑制することができる。
【０００７】
（２）本発明は、前記形成部が、前記記憶データに基づく画像を、前記記憶元画像形成媒体に形成し、前記制限部が、前記記憶データに基づく画像の形成を禁止する構成としてもよい。
【０００８】
例えば、記憶データに基づく画像を無制限に形成できる従来の構成において、当該画像を、記憶元画像形成媒体に形成する場合、この記憶元画像形成媒体の記憶部から記憶データを読み取る度に、当該記憶元画像形成媒体に記憶データに基づく画像が重複して形成されてしまい、画像間のずれなどにより画像品質が低下してしまうなどといった問題が生じ得る。
これに対して、この発明によれば、記憶データの読取処理後に、記憶元画像形成媒体の記憶部に記憶された記憶データに基づく画像の形成を禁止するから、上記問題が生じることを抑制することができる。
【０００９】
（３）本発明は、前記形成部が、前記記憶データに基づく画像を前記記憶元画像形成媒体に形成し、当該形成が正常終了しなかった場合に、前記記憶データに基づく画像を別の画像形成媒体に形成してもよい。
この発明によれば、記憶データに基づく画像を記憶元画像形成媒体に正常に形成できない事態が生じた場合であっても、当該画像を形成することが可能である。
【００１０】
（４）本発明は、前記別の画像形成媒体が、画像形成が制限されていない非制限記憶データを記憶した記憶部を有するかどうかを判断する判断部を備え、前記形成部は、前記判断部による判断結果に基づき前記非制限記憶データを記憶した記憶部を有しない画像形成媒体に、前記記憶元画像形成媒体の記憶部から読み取った前記記憶データに基づく画像を形成してもよい。
【００１１】
別の画像形成媒体が、画像形成が制限されていない非制限記憶データを記憶した記憶部を有する場合には、当該別の画像形成媒体自身に非制限記憶データに基づく画像を形成したいことがある。そこで、この発明によれば、別の画像形成媒体が、非制限記憶データを記憶した記憶部を有しない場合に、当該別の画像形成媒体自身に、原稿元画像形成媒体の記憶部から読み取った記憶データに基づく画像を形成するようにされている。
【００１２】
（５）本発明は、前記制限部が、前記形成部による画像形成処理の終了前に、前記制限を実行してもよい。
この発明によれば、画像形成処理が実行されたにもかかわらず、制限処理が施されない状態で記憶元画像形成媒体が持ち去れることを抑制することができる。
【００１３】
（６）本発明は、前記制限部が、前記記憶部に複数の前記記憶データがされている場合、当該複数の記憶データのうち画像形成対象とされた記憶データだけについて画像形成を制限してもよい。
この発明によれば、記憶先画像形成媒体の記憶部に複数の記憶データが記憶されている場合、各記憶データについて個別に制限処理を施すことができるため、利便性がよい。
【００１４】
（７）本発明は、前記制限部による制限処理を実行するか否かを切り替えてもよい。
この発明によれば、制限処理を実行させたくない場合に対応することが可能である。
【００１５】
（８）本発明は、前記切替部が、前記記憶部内の指示データに基づき前記制限処理を実行するか否かを切り替えてもよい。
この発明によれば、記憶部内に指示データを記憶させておくことで、制限処理を実行するか否かを自動で切り替えることが可能になる。
【００１６】
（９）本発明は、前記制限部が、前記記憶データに基づく画像の形成を前記形成部に制限させる制限情報を前記記憶部に記憶してもよい。
この発明によれば、例えば記憶データを消去することによる制限処理に比べて、記憶データを容易に復元することが可能である。
【００１７】
（１０）本発明は、前記制限部が、前記記憶データを消去することにより当該記憶データに基づく画像の形成を制限してもよい。
この発明によれば、制限処理が解除されることを抑制することができる。
【００１８】
（１１）本発明に係る画像形成装置は、記憶データが記憶された記憶部を有する記憶元画像形成媒体から前記記憶データを読み取るデータ読取部と、前記データ読取部により読み取られた記憶データに基づく画像を、画像形成媒体に形成する形成部と、前記形成部による形成処理後に、前記記憶元画像形成媒体の記憶部に記憶された前記記憶データに基づく画像の形成を制限する制限部を、を備える。
【発明の効果】
【００１９】
本発明によれば、同一内容の記憶データに基づく画像が形成された画像形成媒体が複数生成されることを抑制することが可能である。
【発明を実施するための最良の形態】
【００２０】
本発明の一実施形態について図を参照しつつ説明する。
（複合機の内部構成）
図１は、複合機１（本発明の「画像形成装置」の一例）の内部構成の概要図である。複合機１の底部には、被画像形成用のシート材３（例えば用紙など  本発明の「画像形成媒体、記憶元画像形成媒体」の一例）が収納されるトレイ５が設けられている。
【００２１】
なお、上記シート材３には、ＲＦＩＤタグ７（本発明の「記憶元画像形成媒体が有する記憶部」の一例）を有するものと、ＲＦＩＤタグ７を有しないものとが含まれ得る。なお、ＲＦＩＤタグ７を有するシート材３には、ＲＦＩＤタグ７がシート材３に埋設されたものや、ＲＦＩＤタグ７がシート材３の表面に付着されたものなどがある。
【００２２】
トレイ５に収納されたシート材３は、ピックアップローラ９によって１枚ずつ取り出されてレジストレーションローラ１１，１１へと搬送される。搬送されてきたシート材３は、レジストレーションローラ１１，１１により姿勢が整えられつつ所定のタイミングで搬送ベルト１３上に送り出される。レジストレーションローラ１１，１１の上流側または下流側（図１では下流側に設けたもののみを図示）には、レジストレーションローラ１１，１１に保持されたシート材３を検知するためのレジストセンサ１２が設けられている。
【００２３】
送り出されたシート材３は、搬送ベルト１３によって搬送されつつ、画像形成部１５により、例えば原稿読取ユニット２７により原稿３７から読み取られた画像データに基づく画像（以下、「原稿画像」という）や、上記ＲＦＩＤタグ７に記憶されたＲＦＩＤデータＲＤ（本発明の「記憶データ」の一例）に基づく画像（以下、「ＲＦＩＤ画像」という）が形成される。なお、ＲＦＩＤデータＲＤには、イメージ情報、テキスト情報など、様々な情報が含まれる。また、各ＲＦＩＤタグを有するシート材３を識別するための固有情報、機密情報やユーザ識別情報など、安易な複製を禁止して唯一性を極力保持すべき情報が含まれる。
【００２４】
画像が形成されたシート材３は、定着器１７の加熱ローラ１９及び押圧ローラ２１の間に挟まれつつ熱定着され、排出トレイ２３上へと排出される。定着器１７付近には、定着器１７に達するシート材３を検知する検知センサ１８が設けられている。
【００２５】
また、トレイ５と搬送ベルト１３との間における搬送経路付近には、シート材用のＲＦＩＤリーダ／ライタ２５が設けられている。ＲＦＩＤリーダ／ライタ２５は、図示しないアンテナから電波を発することにより、搬送途中のシート材３のＲＦＩＤタグ７との間でデータの無線通信（データの読み取り、書き込み）が可能になっている。
【００２６】
排出トレイ２３の上方には、原稿読取ユニット２７が設けられている。この原稿読取ユニット２７には、原稿台２９上に開閉可能に設けられた原稿カバー３１が設けられ、この原稿カバー３１には、原稿３７がセットされる原稿トレイ３３、及び、送り機構３５が設けられている。原稿３７には、ＲＦＩＤタグ３９（本発明の「記憶元画像形成媒体が有する記憶部」の一例）を有するもの（本発明の「記憶元画像形成媒体」の一例）と、ＲＦＩＤタグ３９を有しないものとが含まれ得る。
【００２７】
原稿トレイ３３とスキャナ部４１の読取領域との間における搬送経路付近には原稿用のＲＦＩＤリーダ／ライタ４５が設けられている。ＲＦＩＤリーダ／ライタ４５は、搬送中の原稿３７がＲＦＩＤタグ３９を有していれば、そのＲＦＩＤタグ３９との間で無線通信によりデータのやり取りを行うことができる。また、原稿排出トレイ４３付近には、原稿用のＲＦＩＤリーダ／ライタ４７が設けられており、原稿排出トレイ４３に排出された原稿３７のＲＦＩＤタグ３９との間でデータのやり取りを行うことができる。
【００２８】
原稿３７が原稿トレイ３３にセットされた場合には、ＲＦＩＤリーダ／ライタ４５により当該原稿３７が有するＲＦＩＤタグ３９とデータのやり取りを行う。原稿３７が原稿台２９にセットされた場合には、ＲＦＩＤリーダ／ライタ４７により当該原稿３７が有するＲＦＩＤタグ３９とデータのやり取りを行う。
【００２９】
（複合機の電気的構成）
図２は、複合機１の電気的構成を示すブロック図である。複合機１は、ＣＰＵ５１、ＲＯＭ５３、ＲＡＭ５５、ＮＶＲＡＭ５７（不揮発性メモリ）、操作部５９、表示部６１、画像形成部１５、原稿読取ユニット２７を備える。ＲＯＭ５３には、後述する通常の画像形成処理やＲＦＩＤ画像形成処理など、この複合機１の各種の動作を実行するためのプログラムが記憶されており、ＣＰＵ５１は、ＲＯＭ５３から読み出したプログラムに従って、その処理結果を内部メモリ（ＲＡＭ５５またはＮＶＲＡＭ５７）に記憶させながら各部の制御を行う。操作部５９は、複数のボタンを備え、ユーザにより各種の入力操作が可能である。表示部６１は、液晶ディスプレイやランプ等を備え、各種の設定画面や装置の動作状態等を表示することが可能である。
【００３０】
また、複合機１は、ネットワークインターフェイス６７及びファクシミリインターフェース６９を備える。ネットワークインターフェイス６７は、ネットワーク回線を介して外部のコンピュータ（図示せず）等に接続され、これにより相互のデータ通信が可能となっている。ファクシミリインターフェース６９は、公衆電話網７１を介して、ファクシミリ機能を有する他の外部機器７３に接続され、これにより相互のファクシミリ通信が可能となっている。
【００３１】
更に、ＣＰＵ５１は、前述したシート材用のＲＦＩＤリーダ／ライタ２５、原稿用のＲＦＩＤリーダ／ライタ４５及びＲＦＩＤリーダ／ライタ４７を制御する。
【００３２】
（ＲＦＩＤ画像形成処理）
図３から図５は、ＲＦＩＤ画像形成処理の内容を示すフローチャートである。また、図６は、ＲＦＩＤ画像形成過程を示した模式図である。なお、ＲＦＩＤデータＲＤは、トレイ５にセットされたシート材３のＲＦＩＤタグ７から取得することも、原稿読取ユニット２７にセットされた原稿３７のＲＦＩＤタグ３９から取得することも可能であるが、以下では、シート材３から取得する場合を例に挙げて説明する。
【００３３】
ユーザは操作部５９にてＲＦＩＤデータＲＤに基づくＲＦＩＤ画像形成処理と、画像データに基づく通常の画像形成処理とを指定することができる。そして、ＲＦＩＤ画像形成処理が指示されると、ＣＰＵ５１は図３から図５に示すＲＦＩＤ画像形成処理を実行する。このＲＦＩＤ画像形成処理では、ＲＦＩＤリーダ／ライタ２５（本発明の「データ読取部」の一例）が、シート材３のＲＦＩＤタグ７からＲＦＩＤデータＲＤを読み取り、その後、ＲＦＩＤリーダ／ライタ２５（本発明の「制限部」の一例）が、ＲＦＩＤタグ７に対するＲＦＩＤデータＲＤの読取処理を制限し、また、画像形成部１５（本発明の「形成部」の一例）が、当該ＲＦＩＤデータＲＤに基づくＲＦＩＤ画像をシート材３上に形成する。
【００３４】
具体的には、ＣＰＵ５１は、Ｓ１００でピックアップローラ９によりトレイ５から１枚のシート材３を送り出してレジストレーションローラ１１，１１側に搬送する。そして、シート材３の先端部分がレジストレーションローラ１１，１１に保持されたときに、当該レジストレーションローラ１１，１１の回転駆動を停止させる。なお、シート材３がレジストレーションローラ１１，１１に保持されたかどうかの判断は、上記レジストセンサ１２の検出結果に基づき行う。
【００３５】
次にＳ２００では、レジストレーションローラ１１，１１によって保持されたシート材３がＲＦＩＤタグ７を有しているかどうかを判断する。具体的には、ＲＦＩＤリーダ／ライタ２５により無線通信を試行し、無線通信が成功したかどうかに基づき、シート材３がＲＦＩＤタグ７を有しているかどうかを判断する。
【００３６】
無線通信が成功しシート材３がＲＦＩＤタグ７を有していると判断すれば（Ｓ２００：ＹＥＳ）、次に、Ｓ４００で当該ＲＦＩＤタグ７に、制限処理がされておらず、且つ、有効に画像形成を行うことが可能なＲＦＩＤデータＲＤ（以下、「有効ＲＦＩＤデータＲＤ'」という）が記憶されているかどうかを判断する。
【００３７】
無線通信が成功せずシート材３がＲＦＩＤタグ７を有していないと判断した場合（Ｓ２００：ＮＯ）、或いは、ＲＦＩＤタグ７を有しているが有効ＲＦＩＤデータＲＤ'が記憶されていないと判断した場合（Ｓ２００：ＹＥＳ、且つ、Ｓ４００：ＮＯ）、Ｓ３００で未対応処理を行う。未対応処理では、停止していたレジストレーションローラ１１，１１の回転駆動を再開するが、シート材３に画像形成部１５による画像形成を行わずにそのまま排出トレイ２３上に排出し、ＲＦＩＤ画像形成処理を終了する。
【００３８】
Ｓ４００で、ＲＦＩＤタグ７に有効ＲＦＩＤデータＲＤ'が記憶されていると判断した場合（Ｓ４００：ＹＥＳ）には、Ｓ５００に進み、図４に示す対応処理を実行する。このとき、図６の＜Ｓ４００：ＹＥＳ＞に示すように、シート材３は、そのＲＦＩＤタグ７に有効ＲＦＩＤデータＲＤ'が記憶され、且つ、表面には未だ画像が形成されていない状態である。
【００３９】
（１）対応処理
ＣＰＵ５１は、Ｓ５０１で、ＲＦＩＤリーダ／ライタ２５によりＲＦＩＤタグ７から有効ＲＦＩＤデータＲＤ'を読み取る。なお、有効ＲＦＩＤデータＲＤ'が複数記憶されている場合には、それらを全て読み取ってもよいが、本実施形態では、そのうちの１つだけ（例えば記憶アドレス番号が最も若いもの）を読み取る。
【００４０】
次に、Ｓ５０３では、ＲＦＩＤタグ７に制限指示データが記憶されているかどうかを判断する。この制限指示データは、有効ＲＦＩＤデータＲＤ'を読み取った後に、ＲＦＩＤタグ７に対する読取処理を制限するかどうかを指示するデータある。また、制限指示データには、読み取った有効ＲＦＩＤデータＲＤ'のみについて読取処理を制限（以下、「部分制限」という）することを指示するものと、ＲＦＩＤタグ７に記憶されている全ての有効ＲＦＩＤデータＲＤ'について読取処理を制限（以下、「全体制限」という）することを指示するものがある。例えば、各有効ＲＦＩＤデータＲＤ'を個別に取り扱いたい場合には部分制限を指定し、全ての有効ＲＦＩＤデータＲＤ'を一括で取り扱いたい場合には全体制限を指定することができるため、利便性がよい。
【００４１】
この制限指示データが記憶されていないと判断した場合には（Ｓ５０３：ＮＯ）、Ｓ５１１でユーザによる制限指示がされているかどうかを判断する。ユーザは、例えば操作部５９にて上記ＲＦＩＤ画像形成の指示とともに、制限指示の有無、及び、部分制限か全体制限かを決定することができる。
【００４２】
制限指示データが記憶されておらず、且つ、ユーザによる制限指示もされていない場合には（Ｓ５０３：ＮＯ、且つ、Ｓ５１１：ＮＯ）、Ｓ５１５で、何ら制限処理を行うことなく、停止していたレジストレーションローラ１１，１１の回転駆動を再開してシート材３を送り出し、画像形成部１５により当該シート材３上に有効ＲＦＩＤデータＲＤ'に基づくＲＦＩＤ画像を形成し、対応処理及びＲＦＩＤ画像形成処理を終了する。このとき、ＣＰＵ５１は本発明の「切替部」として機能する。
【００４３】
制限指示データが記憶されている場合（Ｓ５０３：ＹＥＳ）、または、ユーザによる制限指示がされている場合（Ｓ５１１：ＹＥＳ）、Ｓ５０５で制限処理を実行する。この制限処理では、ＲＦＩＤリーダ／ライタ２５により上記部分制限または全体制限を行う。
【００４４】
この制限方法としては、本実施形態では、読取処理の禁止を示す禁止情報（本発明の「制限情報」の一例）を、各有効ＲＦＩＤデータＲＤ'ごと、或いは、ＲＦＩＤタグ７自身に対応付けて当該ＲＦＩＤタグ７に書き込む。これにより、制限対象となった有効ＲＦＩＤデータＲＤ'については読取処理が禁止され、当該有効ＲＦＩＤデータＲＤ'に基づく画像形成処理を制限することができる（図６の＜Ｓ５０５＞参照  同図の「×」は制限処理がされていることを示す）。
【００４５】
続いて、Ｓ５０７で、停止していたレジストレーションローラ１１，１１の回転駆動を再開してシート材３を送り出し、画像形成部１５により当該シート材３上に有効ＲＦＩＤデータＲＤ'に基づくＲＦＩＤ画像の形成を開始し、Ｓ５０９で、その画像形成が正常終了するかどうかを判断する。この判断は、例えばシート材３が定着器１７に達したかどうかに基づき行う。つまり、定着器１７に達するシート材３を上記検知センサ１８によって検知した場合には正常終了するとみなし、検知しなかった場合には、例えばシート材３が詰まったり、画像形成部１５の着色剤が不足したりするなどのエラー発生により正常終了しないと判断する。
【００４６】
画像形成が正常終了すると判断した場合には（Ｓ５０９：ＹＥＳ）、対応処理及びＲＦＩＤ画像形成処理を終了する。これにより、図６の＜Ｓ５０９：ＹＥＳ＞に示すように、シート材３はその表面にＲＦＩＤ画像が形成される。但し、そのＲＦＩＤタグ７に対するＲＦＩＤデータＲＤの読取処理が制限されているから、当該ＲＦＩＤデータＲＤに基づく画像形成が、シート材３以外のシート材に新たに複製されることを防止することができる。
【００４７】
（２）検索処理
画像形成が正常終了しないと判断した場合には（Ｓ５０９：ＮＯ）、Ｓ５１３に進み、図５に示す検索処理を行う。この検索処理では、上記エラーの解消後に、上記有効ＲＦＩＤデータＲＤ'に基づくＲＦＩＤ画像を形成すべき新たなシート材３' （本発明の「別の画像形成媒体」の一例）を検索する。
【００４８】
ＣＰＵ５１は、Ｓ６０１でピックアップローラ９によりトレイ５から新たに１枚のシート材３'を送り出し、レジストレーションローラ１１，１１に保持されたときに、当該レジストレーションローラ１１，１１の回転駆動を停止させる。そして、Ｓ６０３で、上記Ｓ２００と同様、この新たなシート材３'がＲＦＩＤタグ７を有しているかどうかを判断する。
【００４９】
ＲＦＩＤタグ７を有していると判断した場合には（Ｓ６０３：ＹＥＳ）、ＲＦＩＤリーダ／ライタ２５により、このＲＦＩＤタグ７に有効ＲＦＩＤデータＲＤ"（シート材３のＲＦＩＤタグ７に記憶された上記有効ＲＦＩＤデータＲＤ'とは異なる  本発明の「非制限記憶データ」の一例）が記憶されているかどうかを判断する。このときＣＰＵ５１は本発明の「判断部」として機能する。有効ＲＦＩＤデータＲＤ"が記憶されていると判断した場合には（Ｓ６０５：ＹＥＳ）、Ｓ６０７に進み、上記３００と同様、この新たなシート材３'には何らの画像形成を行うことなく排出トレイ２３上に排出する。
【００５０】
ＲＦＩＤタグ７を有していないと判断した場合には（Ｓ６０３：ＮＯ）、または、ＲＦＩＤタグ７を有しているが有効ＲＦＩＤデータＲＤ"が記憶されていないと判断した場合には（Ｓ６０３：ＹＥＳ、且つ、Ｓ６０５：ＮＯ）、この新たなシート材３'を、ＲＦＩＤ画像を形成すべきものとして図４のＳ５０７に進む。これにより、図６の＜Ｓ５０９：ＮＯ＞に示すように、新たなシート材３'は、その表面にＲＦＩＤ画像が形成されることになる。一方、最初のシート材３は、エラー発生によりＲＦＩＤ画像が正常に形成されず、且つ、そのＲＦＩＤタグ７に対するＲＦＩＤデータＲＤの読取処理が制限されている。このため、当該ＲＦＩＤデータＲＤに基づく画像形成が、シート材３及びシート材３'以外のシート材に新たに複製されることを防止することができる。
【００５１】
（本実施形態の効果）
（１）本実施形態によれば、ＲＦＩＤデータＲＤの読取処理後に、シート材３のＲＦＩＤタグ７または原稿３７のＲＦＩＤタグ３９に記憶されたＲＦＩＤデータＲＤに基づく画像の形成を制限する。これにより、同一内容のＲＦＩＤデータＲＤに基づく画像が形成されたシート材が複数生成されることを抑制することができる（図６の＜Ｓ５０９：ＹＥＳ＞＜Ｓ５０９：ＮＯ＞参照）。
【００５２】
例えば、あるクイズが記載されたキャンペーン用チラシのＲＦＩＤタグにクイズの答えをＲＦＩＤデータとして記憶し、そのチラシを配布する。そして、ユーザが配布されたチラシを上記複合機１のトレイ５或いは原稿読取ユニット２７にセットし、ＲＦＩＤ画像形成処理を指示すれば、チラシ上にクイズの答えが印刷（画像形成）することができる。しかも、一度印刷すれば、それ以降、ＲＦＩＤタグ内のＲＦＩＤデータに基づく印刷が制限されるため、クイズの答えが他のシート材に無制限に印刷されてしまうことを防止することができる。このように、ＲＦＩＤデータが複製を制限したい情報である場合に特に有効である。
【００５３】
（２）例えば、ＲＦＩＤデータＲＤに基づく画像を無制限に形成できる構成において、当該画像を、そのＲＦＩＤデータが記憶されたＲＦＩＤタグ７を有するシート材３自身に形成する場合を考える。この場合、このシート材３のＲＦＩＤタグ７からＲＦＩＤデータＲＤを読み取る度に、当該シート材３上にＲＦＩＤ画像が重複して形成されてしまい、画像間のずれなどにより画像品質が低下してしまうなどといった問題が生じ得る。
これに対して、本実施形態によれば、ＲＦＩＤデータＲＤの読取処理後に、シート材３のＲＦＩＤタグ７に記憶されたＲＦＩＤデータＲＤに基づく画像の形成を禁止するから、上記問題が生じることを抑制することができる。
【００５４】
（３）また、シート材３へのＲＦＩＤ画像形成が正常終了しなかった場合でも、検索処理（図５）を実行することにより、新たなシート材３'にＲＦＩＤ画像を形成することができる（図６の＜Ｓ５０９：ＮＯ＞参照）。しかも、このＲＦＩＤ画像の形成対象から、有効ＲＦＩＤデータＲＤ"が記憶されたＲＦＩＤタグ７を有するシート材が除外される。これにより、当該シート材についてはその表面に、自己が有する有効ＲＦＩＤデータＲＤ"に基づく画像形成を形成することが可能になる。
【００５５】
（４）仮に、ＲＦＩＤ画像形成（Ｓ５０７）後、シート材３が排出トレイ２３に排出された後に制限処理を行う構成とすると、制限処理が完了する前にシート材３をユーザが持ち去ってしまうおそれがある。そこで、本実施形態では、ＲＦＩＤ画像形成（Ｓ５０７）の前に制限処理（Ｓ５０５）を行うようにした。
【００５６】
（５）ユーザによる指定により制限処理の実行の有無を切り替えることができる。また、制限指示データをＲＦＩＤタグ７，３９に記憶しておくことで、制限処理の実行の有無を自動で切り替えることができる。
【００５７】
＜他の実施形態＞
本発明は上記記述及び図面によって説明した実施形態に限定されるものではなく、例えば次のような種々の態様も本発明の技術的範囲に含まれる。特に、各実施形態の構成要素のうち、最上位の発明の構成要素以外の構成要素は、付加的な要素なので適宜省略可能である。
【００５８】
（１）上記実施形態では、ＲＦＩＤデータＲＤを読み取ったシート材３自身にＲＦＩＤ画像を形成する例を説明したが、本発明はこれに限られない。例えば原稿３７からＲＦＩＤデータＲＤを読み取る場合には、別のシート材３にＲＦＩＤ画像を形成してもよい。
【００５９】
（２）上記実施形態では、ＲＦＩＤ画像を形成する場合には原稿画像は形成しないようにしたが、本発明はこれに限られない。例えば、ユーザが原稿３７を原稿読取ユニット２７にセットして読取処理を指示すると、シート材３にＲＦＩＤ画像（例えば会社のロゴマーク、複製禁止文言など）と原稿画像との合成画像を形成するようにしてもよい。
【００６０】
（３）上記実施液体では、制限処理として、読取処理を禁止する禁止情報をＲＦＩＤタグ７に書き込んだが、本発明はこれに限られない。例えば有効ＲＦＩＤデータＲＤ'をＲＦＩＤタグ７から消去したり、別のデータを上書きしたりしてもよい。また、有効ＲＦＩＤデータＲＤ'の一部読取だけを許可したり、画質（解像度）を低下させることを指示する情報を付加しておいて低画質でのみ画像形成を許可したりしてもよい。但し、上記実施形態の構成であれば、消去する場合に比べて、制限を解除することが容易である。一方、消去すればより確実にＲＦＩＤ画像形成を制限することができる。
【００６１】
（４）また、上記実施形態では、ＲＦＩＤ画像形成を１回行った場合に制限処理を行ったが、本発明はこれに限られない。ＲＦＩＤ画像形成を所定回数（２回以上）行った後に制限処理を行うようにしてもよい。
【００６２】
（５）上記実施形態によれば、ＲＦＩＤ画像形成（Ｓ５０７）の前に、制限処理（Ｓ５０５）を行ったが、本発明はこれに限られない。例えば、ＲＦＩＤリーダ／ライタを、定着器１７と排出トレイ２３との間の搬送経路付近に設けて、画像形成部１５によるＲＦＩＤ画像形成の終了前までに制限処理を行うようにしてもよい。そうすれば、制限処理前にシート材３がユーザにより持ち去られることを抑制することができる。
【００６３】
（６）上記実施形態では、１つのＲＦＩＤタグ７，３９に複数のＲＦＩＤデータＲＤが記憶されている例を説明したが、本発明はこれに限られない。例えば１枚の原稿３７やシート材３が複数のＲＦＩＤタグを有し、各ＲＦＩＤタグに１つ以上のＲＦＩＤデータＲＤが記憶されていてもよい。
【００６４】
（７）上記実施形態では、本発明を複合機１単体で実現した場合を例に挙げて説明したが、本発明はこれに限られない。例えば、原稿読取ユニット２７と、原稿読取ユニット２７を除いた画像形成装置本体とが別体とされ、両者がデータ通信可能に接続された画像形成システムであってもよい。更に、ファクシミリ機能を有する複数の画像形成装置（ファクシミリ装置）を有する画像形成システムであってもよい。つまり、一のファクシミリ装置（例えば図２の複合機１）でＲＦＩＤデータを読み取って、他のファクシミリ装置（例えば図２の他の外部機器７３であって複合機１と同様の機能を有するもの）が上記ＲＦＩＤデータに基づき画像形成を行うようにしてもよい。
【図面の簡単な説明】
【００６５】
【図１】本発明の一実施形態に係る複合機の内部構成の概要図
【図２】複合機の電気的構成を示すブロック図
【図３】ＲＦＩＤ画像形成処理を示すフローチャート
【図４】対応処理を示すフローチャート
【図５】検索処理を示すフローチャート
【図６】ＲＦＩＤ画像形成過程を示した模式図
【符号の説明】
【００６６】
１...複合機（画像形成装置）
３...シート材（画像形成媒体、記憶元画像形成媒体）
７，３９...ＲＦＩＤタグ（記憶元画像形成媒体が有する記憶部）
１５...画像形成部（形成部）
２５，４５，４７...ＲＦＩＤリーダ／ライタ（データ読取部、制限部）
３７...原稿（記憶元画像形成媒体）
４１...スキャナ部（画像読取部）
５１...ＣＰＵ（切替部、判断部）
ＲＤ...ＲＦＩＤデータ（記憶データ）
ＲＤ"...有効ＲＦＩＤデータ（非制限記憶データ）
【図１】
2010130346.tif 000003
【図２】
2010130346.tif 000004
【図３】
2010130346.tif 000005
【図４】
2010130346.tif 000006
【図５】
2010130346.tif 000007
【図６】
2010130346.tif 000008